(57)【特許請求の範囲】
【請求項１】
互いに対向させた一対の縦板を中間材を介して連結してなる縦板組品と、この縦板組品の上下方向に延びる両端面を覆い隠す一対の縦材とからなり、前記縦板組品における外側の縦板を内側の縦板よりも幅狭とすることによって、この外側の縦板と前記一対の縦材との間に縦溝を設け、この縦溝内にダボやボルト等の連結具を取り付けるための取付部を形成したことを特徴とする収納家具の側板。
【請求項２】
前記取付部は、前記縦溝の底部を構成する前記中間材の表面に形成した複数の取付孔からなる請求項１記載の収納家具の側板。
【請求項３】
前記縦板組品における縦板間の隙間を、電気配線等を収容する収容空間とした請求項１又は２記載の収納家具の側板。
【請求項４】
総厚が５０ｍｍ以上となるようにした請求項１乃至３のいずれかに記載の収納家具の側板。
【発明の詳細な説明】
【０００１】
【発明の属する技術分野】
この発明は、主に組合せ家具に用いられる収納家具の側板に関する。
【０００２】
【従来の技術】
一般に、住宅のリビングルーム等には、本や小物を収納するラック、テレビを載置するテレビ台といった複数種類の収納家具が並べて設置されている。これら収納家具は、大きさや形状がまちまちであり、またデザイン等が異なる等して、全体的に統一感に欠け、しかも夫々が単独で設置されているので、その設置状態も不安定であった。
【０００３】
そこで、近年では、各種収納家具を一体的に組み合わせた組合せ家具が市販されている。この種の組合せ家具を設置した場合には、全体的に統一感を持たせることができ、設置状態も比較的安定している。
【０００４】
【発明が解決しようとする課題】
一般に、組合せ家具では、隣接する収納家具の側板間に棚板や背板を差し渡したり、これら収納家具の側板同士を直接連結することによって、複数の収納家具を一体的に組み合わせており、従って、収納家具の側板の外表面側には、ダボやボルト等の連結具を取り付けるための取付孔が複数形成されている。これら取付孔を全部使用した場合には特に問題ないが、例えばダボの取付位置を適宜変えて棚板の高さ位置を調節できるようにすると、使用していない取付孔が存在し、この取付孔が外部に露出する。また、収納家具を単独で使用する場合にも、取付孔が外部に露出することになる。この場合、見栄えが悪くなるといった不具合があった。
【０００５】
また、各収納家具に電化製品を収容した場合、組合せ家具の裏面側に各種電化製品の配線が引き回されて、雑然とした印象を与え、特に、これら家具を部屋の間仕切り用に使用した場合には、配線が露出して非常に見苦しいといった不具合があった。
【０００６】
この発明は、上記の不具合を解消して、連結具を取り付けるための取付部を外部から見え難くし、また雑然とする電気配線等をうまく処理して見栄えを良好にすることができる収納家具の側板を提供することを目的とする。
【０００７】
【課題を解決するための手段】
上記の課題を解決するため、この発明の収納家具の側板は、互いに対向させた一対の縦板を中間材を介して連結してなる縦板組品と、この縦板組品の上下方向に延びる両端面を覆い隠す一対の縦材とからなり、前記縦板組品における外側の縦板を内側の縦板よりも幅狭とすることによって、この外側の縦板と前記一対の縦材との間に縦溝を設け、この縦溝内にダボやボルト等の連結具を取り付けるための取付部を形成したことを特徴とする。
【０００８】
具体的には、前記取付部は、前記縦溝の底部を構成する前記中間材の表面に形成した複数の取付孔からなる。また、前記縦板組品における縦板間の隙間を、電気配線等を収容する収容空間としている。さらに、上記側板において、総厚が５０ｍｍ以上となるようにしている。
【０００９】
【発明の実施の形態】
以下、本発明の一実施形態を図面に基づいて詳細に説明する。図１は本発明の一実施形態に係る収納家具の側板の斜視図、図２は同じくその分解斜視図である。本実施形態に係る収納家具の側板(１)は、図１及び図２に示すように、２重構造の縦板組品(２)と、この縦板組品(２)の上下方向に延びる両端面を覆い隠す前後一対の縦材(３)(３)とから構成されている。
【００１０】
縦板組品(２)は、長方形に形成された幅狭の外側縦板(４)と同じく長方形に形成された幅広の内側縦板(５)とを、互いに対向させた状態で前後一対の中間材(６)(６)を介して連結してなり、外側縦板(４)と内側縦板(５)との間の隙間が電気配線等を収容する収容空間(７)とされている。
【００１１】
中間材(６)(６)は、内側縦板(５)の両端部に沿って上下方向に延びる角材とされ、外側縦板(４)よりも前後方向にはみ出した状態で取り付けられている。そして、このはみ出しよって露出した中間材(６)(６)の表面に、ダボやボルト等の連結具を取り付けるための取付部としての複数個の取付孔(10)(10)…が上下方向に適宜間隔をあけて形成されている。
【００１２】
縦材(３)(３)は、縦板組品(２)の厚み内にきっちりと収まる大きさの角材とされている。そして、これら縦材(３)(３)と外側縦板(４)との間に生じる前後一対の隙間部分が、中間材(６)(６)の取付孔(10)(10)…付きの表面を底部とする縦溝(12)(12)とされている。すなわち、側板(１)の外表面側には、前後一対の縦溝(12)(12)が形成されている。
【００１３】
そして、この側板(１)は、総厚Ｌが５０ｍｍ以上、具体的には５５ｍｍに設定されている。なお、一般的な収納家具の側板は、１５〜２５ｍｍ程度の厚みに設定されている。
【００１４】
次に、上記の側板(１)の使用例を図３乃至図７に基づいて説明する。図３は、組合せ家具の分解斜視図を示しており、この組合せ家具は、テレビやビデオ等の電化製品を載置、収納するテレビ台(20)の両側に縦長の収納家具(21)(21)を配置し、収納家具(21)(21)間に天板(22)、棚板(23)(23)…、引き出し付き棚板(40)及び背板(24)を差し渡すことによって構成される。
【００１５】
収納家具(21)は、上記の側板(１)(１)を使用するものであって、これら側板(１)(１)間に天面板(25)、底面板(26)及び背面板を差し渡すことによって箱形に形成され、正面側には開閉扉(27)が取り付けられている。このように、厚肉の側板(１)(１)を用いることによって、収納家具(21)に安定感を持たすことができ、しかも側板(１)(１)の縦材(３)(３)が框のように見えるので、框無しの上記開閉扉(27)を取り付けるだけで框付き開閉扉を取り付けたような外観となり、低価格で高級感を得ることができる。
【００１６】
また、側板(１)の収容空間(７)には、テレビ台(20)における電気製品の配線(28)(28)…が収容され、テレビ台(20)や収納家具(21)の裏面側に雑然と引き回されることがないようになっている。なお、配線(28)(28)…は、例えば側板(１)の外側縦板(４)に形成した小孔(30)を通って収容空間(７)に収容され、収容空間(７)から床下の空間、収納家具(21)の内部或いは底面板や背面板の内部を通ってコンセントに接続されるようなっている。
【００１７】
図４は、上記組合せ家具における収納家具(21)の側板(１)と棚板(23)との連結部分を示している。側板(１)側には、その縦溝(12)の取付孔(10)にダボ(30)がねじ込まれ、棚板(23)側には、その下面に嵌合溝(31)が形成され、この嵌合溝(31)へ縦溝(12)から突出したダボ(30)を嵌め込むことによって、側板(１)と棚板(23)とが連結されている。なお、図示しないが、棚板(23)の下面には、その左右両端部に合計４個の嵌合溝(31)(31)…が形成されており、この４個の嵌合溝(31)(31)…へ左右の収納家具(21)(21)の各縦溝(12)(12)…から突出した合計４個のダボ(30)(30)…が夫々嵌め込まれている。
【００１８】
図５は、収納家具(21)の側板(１)と引き出し付き棚板(40)の引き出し支持板(41)との連結部分を示している。支持板(41)の貫通孔(42)へ挿入した連結ボルト(43)を、側板(１)の縦溝(12)(12)の取付孔(10)(10)…にねじ込むことによって、側板(１)と引き出し支持板(41)とが連結されている。なお、(44)は引き出し、(45)は連結ボルト(43)を挿入した後の貫通孔(42)を塞ぐキャップである。
【００１９】
図６は、収納家具(21)の側板(１)と背板(24)との連結部分を示している。側板(１)側には、その縦溝(12)の取付孔(10)にダボ金具(50)がねじ込まれ、背板(24)側には、外装ケース(51)内に回転体(52)を収容してなる係合部材(53)が取り付けられている。そして、ダボ金具(50)を係合部材(53)の外装ケース(51)内に挿入し、ドライバー等の治具によって回転体(53)を回転操作してダボ金具(50)に係合することによって、側板(１)と背板(24)とが連結されている。
【００２０】
図７は、収納家具(21)の側板(１)と内壁(60)との間に生じる隙間(62)を塞いだ状態を示している。側板(１)の縦溝(12)に、上下方向に延びる帯板状のフィラー(61)を取り付け、このフィラー(61)の先端部を内壁(60)に当接させることによって、側板(１)と内壁(60)との間の隙間(62)とが閉塞されている。この場合、フィラー(61)の根元部が縦溝(12)内に入り込んでいるので、その根元部の取付位置を変えることによって、フィラー(61)の突出量を簡単に調節することができる。
【００２１】
なお、本発明は、上記実施形態に限定されるものではなく、例えば縦溝内の取付部は、連結具に係合する突起等であっても良い。
【００２２】
【発明の効果】
以上の説明から明らかなように、本発明の側板では、連結具を取り付ける取付部が縦溝内に形成されて、外部からは見え難い状態となっているので、使用しない取付部が存在しても、見栄えが悪くなることはない。しかも、縦板組品の幅狭の外側縦板と縦材との間の隙間部分を縦溝としているので、側板の外表面側に切削等によって縦溝を形成するときと比べて、製造コストを安価に抑えることができる。
【００２３】
また、取付部を、縦溝の底部に形成した取付孔とすることによって、外部から非常に見え難くなり、見栄えをより一層向上することができる。
【００２４】
さらに、電化製品の配線を、側板の収容空間内に収容することができるので、この側板を使用した収納家具を適宜組み合わせてなる組合せ家具においては、配線がその裏面側に雑然と引き回されることがなく、見た目がすっきりして家具全体としての見栄えを良好にすることができる。
【００２５】
さらにまた、側板の総厚を５０ｍｍ以上とすることによって、収納家具に安定感を持たすことができ、しかも側板の端面が框のように見えるので、框無しの開閉扉を取り付けるだけで框付き開閉扉を取り付けたような外観となり、低価格で高級感を得ることができる
【図面の簡単な説明】
【図１】本発明の一実施形態に係る収納家具の側板の斜視図である。
【図２】同じくその分解斜視図である。
【図３】組合せ家具の分解斜視図である。
【図４】収納家具の側板と棚板との連結部分を示す横断面図である。
【図５】収納家具の側板と引き出し付き棚板の引き出し支持板との連結部分を示す横断面図である。
【図６】収納家具の側板と背板との連結部分を示す横断面図である。
【図７】収納家具の側板と内壁との間に生じる隙間を塞いだ状態を示す横断面図である。
【符号の説明】
(１)  側板
(２)  縦板組品
(３)  縦材
(４)  外側縦板
(５)  内側縦板
(６)  中間材
(７)  収容空間
(10)  取付部(取付孔)
(12)  縦溝
(21)  収納家具
(28)  電気配線
(30)  ダボ
(43)  連結ボルト
(50)  ダボ金具
【図１】
0003909544.tif 000002
【図２】
0003909544.tif 000003
【図３】
0003909544.tif 000004
【図４】
0003909544.tif 000005
【図５】
0003909544.tif 000006
【図６】
0003909544.tif 000007
【図７】
0003909544.tif 000008